(57)【要約】【課題】電線の端末部の跳ね上がりを防止することが可能な端子金具および端子金具付き電線を提供する。【解決手段】相手側端子と接続される接続部１１と、前記接続部１１から後方に延びる形状をなし電線２０の端末部が載置される底板１６と、前記底板１６から突出して前記底板１６に載置された前記電線２０の端末部にかしめ付けられるかしめ片１２Ａとを備えた端子金具１０であって、前記かしめ片１２Ａの前記接続部１１側に、前記かしめ片１２Ａをかしめたときに前記底板１６に載置された前記電線２０の端末部の先端に位置してその跳ね上がりを抑制可能な跳ね防止片１８を一体に設けた。【選択図】図３
2010055902.tif 000002
【特許請求の範囲】
【請求項１】
相手側端子と接続される接続部と、
前記接続部から後方に延びる形状をなし電線の端末部が載置される底板と、
前記底板から突出して前記底板に載置された前記電線の端末部にかしめ付けられるかしめ片とを備えた端子金具であって、
前記かしめ片の前記接続部側に、前記かしめ片をかしめたときに前記底板に載置された前記電線の端末部の前記底板とは反対側に配され、前記電線の端末部の先端に位置してその跳ね上がりを抑制可能な跳ね防止片を一体に設けたことを特徴とする端子金具。
【請求項２】
前記かしめ片を前記電線の端末部にかしめ付けた状態において、少なくとも前記かしめ片よりも前記接続部側で開口する窓部を有することを特徴とする請求項１に記載の端子金具。
【請求項３】
前記かしめ片は、その突出端部が前記底板側に屈曲されて前記電線の端末部に食い込むようにかしめられるものであり、
前記跳ね防止片は、前記かしめ片のうち前記突出端部と前記底板側の端部とを除く中間部に連結されていることを特徴とする請求項１または請求項２に記載の端子金具。
【請求項４】
電線の端末部に端子金具がかしめ付けられた端子金具付き電線であって、
前記端子金具は、相手側端子と接続される接続部と、前記接続部から後方に延びる形状をなし前記電線の端末部が載置される底板と、前記底板から突出して前記底板に載置された前記電線の端末部にかしめ付けられるかしめ片とを備え、
前記かしめ片の前記接続部側に、前記かしめ片をかしめたときに前記底板に載置された前記電線の端末部の前記底板とは反対側に配され、前記電線の端末部の先端に位置してその跳ね上がりを抑制可能な跳ね防止片を一体に設けたことを特徴とする端子金具付き電線。
【発明の詳細な説明】
【技術分野】
【０００１】
本発明は、電線の端末部にかしめ付けられる端子金具および端子金具付き電線に関する。
【背景技術】
【０００２】
従来より、この種の端子金具として、例えば特許文献１に記載の端子金具が知られている。この端子金具は、相手側端子と接続される接続部の後方に、電線の端末部にかしめ付けられるかしめ片が形成されてなるものである。
かしめ片は、電線の端末部の露出された芯線にかしめ付けられるものであり、その全体が芯線をかしめ付けた状態になるよう、芯線の先端を前方に突出させた位置にかしめ付けられる。
【特許文献１】特開２００４−３０３５２６公報
【発明の開示】
【発明が解決しようとする課題】
【０００３】
ところで、かしめ片を電線の端末部にかしめ付けると、芯線の先端（かしめ片から前方に突出した部分）が跳ね上がる傾向がある。そして、芯線の先端が跳ね上がっていると、例えば、以下のような問題が生じる可能性がある。端子金具の接続部の後方に、端子金具の抜け止めを図るリテーナを嵌め込む場合に、端子金具の接続部の後方（リテーナの嵌合部分）において芯線が跳ね上がっていると、この芯線により、リテーナが、正規の位置に嵌合することを邪魔される等の問題である。
【０００４】
さらに、近年においては、主に自動車のワイヤハーネス等の分野で従来より一般的に用いられていた銅合金からなる芯線に替えて、電線の軽量化等のためアルミニウム合金からなる芯線を用いることが多くなっている。アルミニウム合金は、銅合金に比べて酸化皮膜の除去が難しい等の理由から、接触抵抗の増大を防ぐための対策をとる必要があり、この対策の一つとして、かしめ片を、従来よりも強く芯線にかしめ付ける方法がある。しかし、従来よりも強く芯線をかしめ付けると、芯線の跳ね上がりは一層顕著になるという事情もあり、電線の端末部の跳ね上がりを防止するための工夫が望まれていた。
【０００５】
本発明は上記のような事情に基づいて完成されたものであって、電線の端末部の跳ね上がりを防止することが可能な端子金具および端子金具付き電線を提供することを目的とする。
【課題を解決するための手段】
【０００６】
本発明の端子金具は、相手側端子と接続される接続部と、前記接続部から後方に延びる形状をなし電線の端末部が載置される底板と、前記底板から突出して前記底板に載置された前記電線の端末部にかしめ付けられるかしめ片とを備えた端子金具であって、前記かしめ片の前記接続部側に、前記かしめ片をかしめたときに前記底板に載置された前記電線の端末部の前記底板とは反対側に配され、前記電線の端末部の先端に位置してその跳ね上がりを抑制可能な跳ね防止片を一体に設けたことに特徴を有する。このような構成によれば、電線の端末部にかしめ片をかしめ付ける際、端末部の跳ね上がりを防止することができる。
【０００７】
前記かしめ片を前記電線の端末部にかしめ付けた状態において、少なくとも前記かしめ片よりも前記接続部側で開口する窓部を有するものとしてもよい。このような構成によれば、電線の端末部にかしめ片をかしめ付けた後、電線の端末部の先端がかしめ片よりも接続部側に突出しているか否かを、窓部を介して外部から視認することができる。
【０００８】
また、前記かしめ片は、その突出端部が前記底板側に屈曲されて前記電線の端末部に食い込むようにかしめられるものであり、前記跳ね防止片は、前記かしめ片のうち前記突出端部と前記底板側の端部とを除く中間部に連結されているものとしてもよい。このような構成によれば、跳ね防止片が、かしめ片に連動して屈曲しにくい。したがって、かしめ片をかしめ付けた際、跳ね防止片は、端末部に食い込むことなく端末部の上側に配される。
【０００９】
本発明の端子金具付き電線は、電線の端末部に端子金具がかしめ付けられた端子金具付き電線であって、前記端子金具は、相手側端子と接続される接続部と、前記接続部から後方に延びる形状をなし前記電線の端末部が載置される底板と、前記底板から突出して前記底板に載置された前記電線の端末部にかしめ付けられるかしめ片とを備え、前記かしめ片の前記接続部側に、前記かしめ片をかしめたときに前記底板に載置された前記電線の端末部の前記底板とは反対側に配され、前記電線の端末部の先端に位置してその跳ね上がりを抑制可能な跳ね防止片を一体に設けたことに特徴を有する。
【発明の効果】
【００１０】
本発明によれば、電線の端末部の跳ね上がりを防止することが可能な端子金具および端子金具付き電線を提供することができる。
【発明を実施するための最良の形態】
【００１１】
以下、本発明の実施形態を図１〜図４によって説明する。この実施形態では、本発明を雌側の端子金具１０に適用した例を示している。本実施形態の端子金具１０は、プレス成型機によって、平板な金属板から所定の展開形状に打ち抜かれたのち、折り曲げ成形されてなる。端子金具１０は、相手の雄側端子（図示せず）と接続される接続部１１と、その後方に順次に形成されたワイヤバレル１２およびインシュレーションバレル１３とを有している。以下、各構成部材において、図１の上側を上方、下側を下方、左下側（接続部１１側）を前方、右上側を後方として説明する。
【００１２】
接続部１１は、内部に弾性接触片１４を備えた前後方向に長い角筒状に折り曲げ形成され、前面の開口１５から相手の雄側端子のタブ（図示せず）が挿入されて弾性接触片１４と接触するようになっている。
【００１３】
接続部１１の後方には、電線２０の端末部が載置される底板１６が設けられている。底板１６は、接続部１１を構成する周壁１７のうち下側の下壁１７Ｕから後方へ延びる前後方向に長い形状をなしている。底板１６は、長手方向に延びる（底板１６の延び方向に沿う）両側縁部１６Ｓが、上方へ略直角に折り曲げられた形状をなしている。底板１６の両側縁部１６Ｓの前端は、接続部１１を構成する周壁１７のうち短手方向に対向する一対の側壁１７Ｓ（下壁１７Ｕの短手方向の両側縁から上方に立ち上がる壁）に連なっている。底板１６の側縁部１６Ｓの上縁（底板１６の両側縁）は、接続部１１の上下方向の略中央に位置している。
【００１４】
ワイヤバレル１２は、接続部１１から所定寸法だけ後方に離間した位置に設けられている。ワイヤバレル１２は、底板１６に載置された電線２０の端末部のうち絶縁被覆２３の端部から突出する芯線２２にかしめ付けられるものである。ワイヤバレル１２は、展開形状では、図２に示すように、底板１６の両側縁から一対のかしめ片１２Ａが両側方に突出した形状をなしている。一対のかしめ片１２Ａは、前後方向の同位置に設けられている。また、ワイヤバレル１２は、折り曲げ成形後であって電線２０にかしめられる前の状態では、図１に示すように、両かしめ片１２Ａが対向して起立した形状をなしている。ワイヤバレル１２は、一対のかしめ片１２Ａの突出端部がそれぞれ底板１６側に屈曲されて芯線２２に食い込むようにかしめられる。
【００１５】
インシュレーションバレル１３は、ワイヤバレル１２から後方に離間した位置に設けられている。インシュレーションバレル１３は、底板１６に載置された電線２０の絶縁被覆２３にかしめ付けられるものである。インシュレーションバレル１３は、ワイヤバレル１２と同様、展開形状では、図２に示すように、底板１６の両側縁から一対のかしめ片１３Ａが両側方に突出した形状をなし、折り曲げ成形後であって電線２０にかしめられる前の状態では、図１に示すように、両かしめ片１３Ａが対向して起立した形状をなしている。
【００１６】
さて、ワイヤバレル１２の一対のかしめ片１２Ａのうち一方のかしめ片１２Ａの前側には、跳ね防止片１８が一体に設けられている。跳ね防止片１８は、かしめ片１２Ａの突出方向に若干長い方形状をなし、ワイヤバレル１２をかしめる前においては、かしめ片１２Ａと同方向に立ち上がる形状をなしている（図１参照）。跳ね防止片１８の長手方向の一端は、かしめ片１２Ａの前縁（接続部側の縁）に連結され、他端は、かしめ片１２Ａの突出端よりも側方に突出している（図２参照）。跳ね防止片１８は、かしめ片１２Ａの突出端部と底板１６側の端部とを除く中間部（かしめ片１２Ａの突出方向の略中央位置）に連結されている。跳ね防止片１８とかしめ片１２Ａとの連結部分は、かしめ片１２Ａの突出方向に幅広の略長方形状をなし、跳ね防止片１８の他の部分（本体部分）に比べて非常に小さいものとされている。
【００１７】
跳ね防止片１８が設けられた側のかしめ片１２Ａと跳ね防止片１８との間には、かしめ片１２Ａの突出端側から底板１６側に向かって切欠部１８Ａが形成されている（図２参照）。跳ね防止片１８は、切欠部１８Ａの分だけかしめ片１２Ａから前側に離間した位置において側方に突出する形状をなし、かしめ片１２Ａを電線２０の端末部にかしめ付けた状態では、跳ね防止片１８とかしめ片１２Ａとの間には、かしめ片１２Ａの前側の縁に沿って開口する窓部１９が形成される（図３参照）。なお、切欠部１８Ａは、窓部１９の一部分を構成する。窓部１９は、芯線２２にかしめ付けられたかしめ片１２Ａの前側の縁に沿って、底板１６の短手方向に延びる形状をなしている。一対のかしめ片１２Ａの前縁と跳ね防止片１８の後縁（窓部１９を挟んで互いに対向する縁）とは略平行をなしている。
【００１８】
次に、電線２０の端末部に端子金具１０を接続する作業について説明する。ここでは、電線２０が、アルミ電線２０である場合について説明する。アルミ電線２０は、アルミニウム製又はアルミニウム合金製の多数本の素線２１を撚り合わせた芯線２２を、絶縁被覆２３で覆ってなるものである。アルミ電線２０の端末部は、絶縁被覆２３が剥離され、芯線２２が露出している。
【００１９】
まず、アルミ電線２０の端末部を、インシュレーションバレル１３からワイヤバレル１２にかけて挿入し、底板１６に載置した状態にする。このとき、アルミ電線２０の端末部を、絶縁被覆２３の端末部がインシュレーションバレル１３の両かしめ片１３Ａの間に挿入され、芯線２２の露出部分がワイヤバレル１２の両かしめ片１２Ａの間に挿入され、かつ、芯線２２の先端がワイヤバレル１２よりも前側に突出する位置に配置する。
【００２０】
次に、図示しないアンビルおよびクリンパを用いてインシュレーションバレル１３およびワイヤバレル１２を順にかしめ付ける。インシュレーションバレル１３は、絶縁被覆２３の外周に巻き付いてかしめられる。
【００２１】
ワイヤバレル１２をかしめ付けるクリンパは、かしめ片１２Ａを押さえ付けて芯線２２に圧着させる圧着部と、跳ね防止片１８を押えて跳ね防止片１８の立ち上がりを規制する立ち上り規制部とを有している。クリンパの圧着部と立ち上がり規制部とは一体に設けられ、それぞれアンビルとの対向面が異なる形状をなして凹む凹部を有している。
クリンパの圧着部の凹部は、円弧面が２つ並んだ形状をなし、クリンパをアンビル側へ押し付けたときに、一対のかしめ片１２Ａの突出端部を屈曲させて芯線２２に食い込ませるようになっている。そして、クリンパの圧着部の凹部は、ワイヤバレル１２をかしめ付けて芯線２２を圧縮可能な形状をなしている。
【００２２】
クリンパは、圧着部がワイヤバレル１２をかしめ付けて芯線２２を所定量圧縮させる位置まで、アンビル側へ押し付けられるようになっている。芯線２２の圧縮量は、ワイヤバレル１２と芯線２２との接触荷重が十分に大きくなって接触抵抗が低下し、かつ十分な固着力を得ることが可能な量に設定されている。なお、本実施形態では、芯線２２は、アルミニウム製またはアルミニウム合金製であるから、芯線２２の酸化皮膜を破壊するために、従来の銅製または銅合金製の芯線にワイヤバレル１２をかしめ付ける場合に比べて高圧縮する設定とされている。
【００２３】
クリンパの立ち上り規制部の凹部は、クリンパをアンビル側へ押し付けたときに、かしめ片１２Ａに一体に設けられた跳ね防止片１８が上方へ立ち上がろうとすることを規制しつつ、跳ね防止片１８を芯線２２の上側に倒すことが可能な形状に設定されている。さらに、クリンパの立ち上り規制部の凹部は、ワイヤバレル１２のかしめ付けに伴って跳ね上がろうとする芯線２２の先端により跳ね防止片１８が下方から押されて立ち上がろうとすることを規制可能で、かつ芯線２２の上側に倒れ込んだ跳ね防止片１８が芯線２２を押さえ付けたときに、跳ね防止片１８よりも先方に突出した芯線２２の先端が跳ね上がらないような押圧力を発揮する形状に設定されている。
【００２４】
そして、アンビルおよびクリンパでワイヤバレル１２をかしめ付けると、一対のかしめ片１２Ａはクリンパの圧着部に押え付けられて、突出端部（跳ね防止片１８との連結部分よりも先の部分）が、それぞれ下側（底板１６側）に屈曲して芯線２２の上面の幅方向略中央位置に食い込んでいく。また、跳ね防止片１８は、クリンパの立ち上り規制部により上方への立ち上がりを規制されつつ、芯線２２の上側（底板１６とは反対側）へ倒れ込んでいき、芯線２２の上側に被さって底板１６と対向する姿勢になる（図３および図４参照）。このとき、ワイヤバレル１２のかしめ力によって、芯線２２のうちワイヤバレル１２から前方に突出した部分（芯線２２の先端部）が跳ね上がろうとするけれども、芯線２２の先端部の上側には跳ね防止片１８が被さるから、芯線２２の上方への跳ね上がりが規制される。こうして、端子金具１０は、芯線２２の先端部を跳ね上がらせることなく、アルミ電線２０に接続される。
【００２５】
なお、ワイヤバレル１２が芯線２２にかしめ付けられた状態では、跳ね防止片１８は、その長手方向の略半部分（かしめ片１２Ａとの連結部分とは反対側の部分）が、跳ね防止片１８の設けられていない側のかしめ片１２Ａの前方に突出し、芯線２２の幅方向の中央部分の上側を抑えた状態になる。
【００２６】
また、ワイヤバレル１２の後端部は、末広がりのラッパ状に成形され、いわゆるベルマウス１２Ｂが形成される。このベルマウス１２Ｂを形成することで、芯線２２のうちワイヤバレル１２にかしめられる部分の端部における断面変化は緩やかになり、電線２０の振動等に起因して生じる応力の集中を緩和することができる。本実施形態では、ワイヤバレル１２の前端部にはベルマウス１２Ｂが設けられていないけれども、この部分は、後方がワイヤバレル１２にかしめ付けられているから電線２０の振動等の影響をそれほど受けないので、ベルマウス１２Ｂを設けずとも不利にはならない。
【００２７】
そして、ワイヤバレル１２を芯線２２にかしめ付けた後、跳ね防止片１８とワイヤバレル１２との間に形成された窓部１９を介して芯線２２が見えるか否かを確認する。窓部１９から芯線２２が見える場合には、ワイヤバレル１２は正規の位置（ワイヤバレル１２が前後方向の全長にわたり芯線２２をかしめ付ける位置）にかしめられており、見えない場合には、正規の位置にかしめられていないことになる。
【００２８】
上記のように構成された本実施形態によれば、以下の効果を奏する。
かしめ片１２Ａの前側の縁には、かしめ片１２Ａをかしめると電線２０の端末部の上側に配されて電線２０の端末部の跳ね上がりを抑制可能な跳ね防止片１８が一体に設けられている。したがって、電線２０の端末部の露出された芯線２２にかしめ片１２Ａをかしめ付ける際、芯線２２の先端の跳ね上がりを防止することができる。また、跳ね防止片１８は、かしめ片１２Ａのかしめ付けに伴って芯線２２の上方に配されるから、例えばかしめ片１２Ａをかしめる作業と、跳ね防止片１８を折り曲げる作業とを別々に行う場合に比べて工程数を減らすことができる。
【００２９】
また、かしめ片１２Ａを電線２０の端末部にかしめ付けた状態において、少なくともかしめ片１２Ａよりも前側で開口する窓部１９がある。これにより、電線２０の端末部にかしめ片１２Ａをかしめ付けた後、芯線２２の先端がかしめ片１２Ａよりも前側に突出しているか否かを、窓部１９を介して外部から視認することができる。ここで、かしめ片１２Ａの前端よりも芯線２２が後方に引っ込んだ位置に配された状態で、かしめ片１２Ａをかしめ付けた場合には、かしめ片１２Ａと芯線２２との接触面積が小さくなって接触抵抗が大きくなってしまう。しかしながら、本実施形態によれば、窓部１９を介して芯線２２の先端がかしめ片１２Ａよりも前側に突出しているか否かを確認することができるから、そのような不良品を排除することができる。
【００３０】
また、跳ね防止片１８は、かしめ片１２Ａのうち突出端部と底板側の端部とを除く中間部に連結されているから、跳ね防止片１８は、かしめ片１２Ａに連動して屈曲しにくい。したがって、ワイヤバレル１２をかしめ付けた際、跳ね防止片１８は、屈曲して芯線２２に食い込むことなく芯線２２の上方に配される。すなわち、かしめ片１２Ａが芯線２２に食い込むようにかしめられる端子金具１０においても、芯線２２の先端の跳ね上がりを防止することができる。
【００３１】
＜他の実施形態＞
本発明は上記記述及び図面によって説明した実施形態に限定されるものではなく、例えば次のような実施形態も本発明の技術的範囲に含まれる。
【００３２】
（１）上記実施形態では、本発明を、一対のかしめ片１２Ａを有する端子金具１０に適用したが、これに限らず、本発明は、例えば、芯線に巻き付く一のかしめ片のみを有する端子金具にも適用することができる。
【００３３】
（２）上記実施形態では、本発明を、一対のかしめ片１２Ａが、前後方向の同位置に設けられている端子金具１０に適用したが、これに限らず、本発明は、例えば、一対のかしめ片が前後方向にずれて設けられている端子金具にも適用することができる。このときには、前後のかしめ片のうち前側のかしめ片に、跳ね防止片を一体に設けるようにすればよい。
【００３４】
（３）上記実施形態では、跳ね防止片１８は、一対のかしめ片１２Ａのうち一方のかしめ片１２Ａのみに設けられているが、これに限らず、両方のかしめ片に跳ね防止片を設けるようにしてもよい。
【００３５】
（４）上記実施形態では、アルミ電線２０の端末部に端子金具１０を接続する場合について説明したが、これに限らず、例えば銅製または銅合金製の芯線を有する電線の端末部に端子金具１０を接続してもよく、この場合においても上記と同様の効果を得ることができる。
【００３６】
（５）上記実施形態では、窓部１９は、かしめ片１２Ａの前縁に沿って設けられているが、これに限らず、窓部は、例えば、跳ね防止片に開口されたものであってもよく、またかしめ片から跳ね防止片にかけて開口されたものであってもよい。
【図面の簡単な説明】
【００３７】
【図１】本実施形態にかかる端子金具の斜視図
【図２】展開形状の端子金具の一部切欠平面図
【図３】電線の端末部に端子金具が接続された状態を表す一部切欠平面図
【図４】同一部切欠側断面図
【符号の説明】
【００３８】
１０…端子金具
１１…接続部
１２Ａ…かしめ片
１６…底板
１８…跳ね防止片
１９…窓部
２０…電線
【図１】
2010055902.tif 000003
【図２】
2010055902.tif 000004
【図３】
2010055902.tif 000005
【図４】
2010055902.tif 000006